(57)【要約】【課題】カメラ筐体の上面あるいは下面にアクセサリーシューやマイクロホンを組付けることを可能にする。【解決手段】撮像装置１は、フラッシュ不使用時にはカメラ筐体３内に収納されていて、フラッシュ使用時にカメラ筐体３から突出させるポップアップ式のフラッシュ装置１０を備えている。カメラ筐体３の一側面をグリップ面５とし、該グリップ面５の内側には記録媒体収納部４が設けられている。グリップ面５の前端部からレンズ鏡胴２に至るの間は傾斜面１２になっている。この傾斜面１２に開口部１３を形成して、フラッシュ不使用時にはフラッシュ装置１０を上記開口部１３内に収納し、フラッシュ使用時にはフラッシュ装置１０を上記開口部１３からカメラ筐体３の側面に突出させる構成にした。【選択図】図２
2008158249.tif 000002
【特許請求の範囲】
【請求項１】
不使用時にはカメラ筐体内に収納されていて、使用時にカメラ筐体から突出させるポップアップ式のフラッシュ装置を備えた撮像装置において、
上記カメラ筐体の一側面をグリップ面とし、該グリップ面の前端部からレンズ鏡胴に至るまでの面に開口部を形成して、フラッシュ装置不使用時には、上記フラッシュ装置は、上記開口部から上記カメラ筐体内に収納され、フラッシュ装置使用時には、上記フラッシュ装置は、上記開口部から上記カメラ筐体の側方に突出されることを特徴とする撮像装置。
【請求項２】
上記グリップ面の内側には記録媒体収納部が配置されていることを特徴とする請求項１に記載の撮像装置。
【請求項３】
上記グリップ面の前端部から上記レンズ鏡胴に至るまでの面を傾斜面とし、該傾斜面に上記開口部を形成したことを特徴とする請求項１に記載の撮像装置。
【請求項４】
上記フラッシュ装置は、上記カメラ筐体に回動可能に組み付けられてフラッシュ装置使用時には上記開口部から上記カメラ筐体の側方に突出し、フラッシュ装置不使用時には上記開口部から上記カメラ筐体内に侵入して上記開口部を塞ぐキャビネットと、該キャビネットに組み付けられた発光体と、上記キャビネットに上記開口部から突出する方向のバネ力を付与しているバネと、該バネのバネ力に抗して上記キャビネットが上記開口部を閉じる位置で停止させるロック機構と、該ロック機構を操作してキャビネットのロックを解除するロック解除機構と、を備えていることを特徴とする請求項１に記載の撮像装置。
【請求項５】
上記キャビネットは、フラッシュ装置使用時に上記開口部から突出して上記グリップ面と略平行になりフラッシュ装置不使用時には上記カメラ筐体の側面と略面一になって上記開口部を塞ぐ第１のプレート部と、該第１のプレート部の内面に設けられていて該第１のプレート部が上記開口部から突出したときに該開口部から突出して、上記第１のプレート部と上記開口部の間を塞ぐ第２のプレート部と、を備え、
上記第２のプレート部は、上記発光体の出射面が臨む切欠窓部を備えていることを特徴とする請求項４に記載の撮像装置。
【請求項６】
上記キャビネットに上記開口部から突出する方向のバネ力を付与しているバネは、引張コイルバネであることを特徴とする請求項４に記載の撮像装置。
【請求項７】
上記ロック機構は、上記キャビネットに設けた被ロック部に係合する略逆Ｖ字状のロック部を上部に設けた昇降体と、該昇降体の昇降をガイドする一対のガイド軸と、上記昇降体を上昇方向に付勢して上記略逆Ｖ字状のロック部を上記被ロック部に係合する位置まで上昇させているバネと、を備えていることを特徴とする請求項４に記載の撮像装置。
【請求項８】
上記略逆Ｖ字状のロック部を上記被ロック部に係合する位置まで上昇させているバネは、圧縮コイルバネであることを特徴とする請求項７に記載の撮像装置。
【発明の詳細な説明】
【技術分野】
【０００１】
本発明は、不使用時にはカメラ筐体内に収納され、使用時にカメラ筐体から突出させるポップアップ式のフラッシュ装置を備えた撮像装置に関する。
【背景技術】
【０００２】
ポップアップ式のフラッシュ装置は、カメラ筐体の上面（天面）に取り付けられている場合が多い。（例えば、特許文献１参照）。しかし、カメラ一体型ビデオレコーダ等においては、カメラ筐体の上面は、アクセサリーシューやマイクロホンの取付にも都合のよい場所である。特に、４ｃｈマイクロホンを取り付けるのには、カメラ筐体の上面は最適な場所である。
【特許文献１】特開２００６−２９５２７２号公報
【発明の開示】
【発明が解決しようとする課題】
【０００３】
上述のように、カメラ筐体の上面は、ポップアップ式のフラッシュ装置を取り付けたり、或いはアクセサリーシューやマイクロホンを取り付けたりするのに都合の良い場所であるが、フラッシュ装置と、マイクロホンの両方を取り付ける事はスペース的にも困難な場合が多い。
【０００４】
また、カメラ筐体の一側部にテープカセット等の記録媒体収納部を設けた場合には、上記一側部が記録媒体収納部の存在でより多く突出した状態になるためレンズ鏡胴との間の段差が大になり撮像装置の外観を損なうという問題点があった。
【０００５】
本発明の目的は、フラッシュ装置をカメラ筐体の側面に配置することにより上記従来の問題点を解決し、アクセサリーシューやマイクロホン等のカメラ筐体の上面への組み付けることができるようにしたものである。また、カメラ筐体の一側部にテープカセット等の記録媒体収納部を設けたためにレンズ鏡胴との間の大きな段差が発生したような場合でも、上記段差部をフラッシュ装置の配置空間として有効に利用することにある。
【課題を解決するための手段】
【０００６】
本発明は、レンズ鏡胴を備えたカメラ筐体の一側面をグリップ面とし、該グリップ面の前端部から上記カメラ筐体の前面に至るまでの間にポップアップ式のフラッシュ装置を配置した。
【発明の効果】
【０００７】
カメラ筐体の上面あるいは下面にアクセサリーシューやマイクロホンを設けることが可能になる。また、ポップアップによりフラッシュ装置と撮像レンズの間に所定の距離をとることができる。また、カメラ筐体の側部に配置したので、一側部だけでなく、両側部に配置することも容易になる。
【発明を実施するための最良の形態】
【０００８】
図１は撮像装置１の斜視図である。撮像装置１は、カメラ一体型ビデオレコーダとして構成されている。上記撮像装置１は、レンズ鏡胴２と、カメラ筐体３と、を備え、上記カメラ筐体３の一側部にはテープカセット等の記録媒体収納部４が設けられていて、該記録媒体収納部４の外面は、グリップ面５になっていて、該グリップ面５にはグリップベルト６が設けられている。上記カメラ筐体３の上面にはオープン／イジェクト摘み７やレンズ鏡胴にはアクセサリーシュー８等が設けられていると共に、下面側にはステレオマイク９が内蔵されている。そして、上記グリップ面５の前端部と上記レンズ鏡胴２の間にポップアップ式のフラッシュ装置１０が設けられている。
【０００９】
上記フラッシュ装置１０は、上記カメラ筐体３の前面１１側と上記グリップ面５の前端部の間に位置する傾斜面１２に設けた開口部１３に配置されている。
【００１０】
上記フラッシュ装置１０は、不使用時には、図１に示すように、上記カメラ筐体３内に収納され、使用時には、図２に示すように、上記開口部１３からカメラ筐体３の側方に突出する。
【００１１】
図３はフラッシュ装置１０を背面側から見た斜視図である。上記フラッシュ装置１０は、フラッシュ装置キャビネット（以下、キャビネット）２１と、該キャビネット２１に組み付けられた発光体２２と、キャビネット２１に上記開口部１３から突出する方向のバネ力を付与している引張コイルバネ２３と、該引張コイルバネ２３のバネ力に抗して上記キャビネット２１を上記開口部１３を閉じる位置で停止させるロック機構２４と、該ロック機構２４を操作してキャビネット２１のロックを解除するロック解除機構２５と、を備えている。
【００１２】
上記キャビネット２１は、上記開口部１３を開閉する第１のプレート部３１と、該第１のプレート部３１に対して所定の傾斜角度θをもって第１のプレート部３１の一端部に連設された第２のプレート部３２と、これら第１，第２のプレート部３１，３２の上下端に設けられた第３，第４のプレート部３３，３４と、を備えている。
【００１３】
上記第２のプレート部３２は、発光体２２の出射面２２ａを嵌合する切欠窓部３５と、を備えている。また、上記第４のプレート部３４の端部にはロック機構２４にロックされる被ロック部３７が設けられている。上記第１，第２のプレート部３１，３２は、軸部３８，３９を備えていて、これら軸部３８，３９によって回動可能にカメラ筐体３に組み付けられている。
【００１４】
上記発光体２２は、キセノン管やＬＥＤ（発光ダイオード）を光源とし、レンズ状の出射面２２ａから照射光が照射される。上記発光体２２は、出射面２２ａを上記切欠窓部３５に嵌合し、上記発光体取付板３５に沿わせて上記第２のプレート部３２の内面に取り付けられている。
【００１５】
上記引張コイルバネ２３は、一端側がカメラ筐体３に係止され、他端側が上記キャビネット２１に設けたバネ係止部４０に係止されていて、図２に示すように、上記キャビネット２１を開口部１３から突出させる方向に付勢している。
【００１６】
上記ロック機構２４は、上記キャビネット２１の被ロック部３７に係合する略逆Ｖ字状のロック部４１を上部に設けた昇降体４２と、該昇降体４２の昇降をガイドする一対のガイド軸４３，４４と、上記昇降体４２を上昇方向に付勢して上記略逆Ｖ字状のロック部４１を上記被ロック部３７に係合する位置まで上昇させている圧縮コイルバネ４５と、を備えている。上記昇降体４２は、次に説明するロック解除機構２５の第１のカム５４で押圧される被押圧面４６を備えている。
【００１７】
図２に示すように、フラッシュ装置１０が突出している状態においては、図４に示すように、上記略逆Ｖ字状のロック部４１と上記被ロック部３７は、非係合状態になっている。この状態から上記第１のプレート部３１の外面を押圧するなどしてキャビネット２１をカメラ筐体３内に収納する方向（矢印ａ方向）に回動させると、上記被ロック部３７が上記ロック部４１の一方の傾斜面４１ａに接触して、該ロック部４１乃至昇降体４２を圧縮コイルバネ４５のバネ力に抗して押し下げる。
【００１８】
上記被ロック部３７が上記略逆Ｖ字状のロック部４１の頂部４１ｂを通過すると、昇降体４２は、圧縮コイルバネ４５のバネ力によって自動的に上昇して、図５に示すように、上記ロック部４１の他方の傾斜面４１ｃに上記被ロック部３７が係合して、上記キャビネット２１の戻り回動を阻止して、図１に示すように、フラッシュ装置１０を収納した状態にロックする。
【００１９】
次に、ロック解除機構２５について説明する。図３に示すように、上記ロック解除機構２５は、モータ５１と、該モータ５１によってギヤトレイン５２を介して回転駆動されるカムプレート５３と、を備えている。上記カムプレート５３の一方の面には上記昇降体４２を押し下げる第１のカム５４が設けられ、他方の面には、モータ５１の電源ボタンをＯＦＦにする第２のカム５５が設けられている。
【００２０】
上記フラッシュ装置１０がカメラ筐体３内に収納されている状態においては、図６に示すように、上記第１のカム５４は、上記昇降体４２に設けた被押圧面４６と非接触状態になっている。撮像装置１の電源ボタンを入れると、上記モータ５１の電源が入り、ギヤトレイン５２を介してカムプレート５３反が時計方向に回転する。カムプレート５３が所定角度回転すると、図７に示すように、第１のカム５４で被押圧面５６を押圧された昇降体４２は、圧縮コイルバネ４５のバネ力に抗して下降して、上記ロック部４１による被ロック３７のロックが解除される。上記ロック機構２４によるロックを解除された、キャビネット２１は、引張コイルバネ２３のバネ力で回動して、図２に示すように、開口部１３から突出する。
【００２１】
上記第２のカム５５は、上記第１のカム５４で上記被ロック３７のロックを解除した後も、上記カムプレート５３を継続的に回転させ、第１のカム５４が１回転して、図６に示す元の位置に戻って来たときに、カムプレート５３の回転を停止させるためのものである。
【００２２】
図８に示すように、第２のカム５５は、略円形状に形成されていて、外周面の一部に円弧状の溝５６を備えている。カムプレート５３が待機位置で停止している状態においては、上記円弧状の溝５６内にスイッチ６１の一方の端子６２の先端の円弧状の突起６２ａが上記円弧状の溝５６内に嵌合して、上記一方の端子６２と他方の端子６３は、非接触状態になっている。この状態で、撮像装置１の電源ボタンがＯＮされて、カムプレート５３が回転を始めると、上記円弧状の溝５６内から一方の端子６２の先端の円弧状の突起６２ａが押し出されて、上記一方の端子６２が他方の端子６３に接触してスイッチ６１がＯＮされる。そして、上記第１のカム５４で昇降体４２を押し下げた後も、カムプレート５３は、継続的に回転して１回転したときに、図８に示すように、一方の端子６２の先端の円弧状の突起６２ａが上記円弧状の溝５６内に嵌合して、上記一方の端子６２と他方の端子６３は、非接触状態になって、モータ５１の電源がＯＦＦされて、カムプレート５３の回転は停止する。従って、上記第１のカム５４は、上記被押圧面４６に対して同じ位置で待機している。
【００２３】
次に、上記撮像装置１の作用を図１０〜図１５を参照して説明する。図１０は図１のフラッシュ装置１０が閉じられている状態の要部の正面図、図１１は図１０を矢印Ａ方向から見た側面図、図１２は図１０のＢ−Ｂ断面図である。
【００２４】
上記フラッシュ装置１０がカメラ筐体３内に収納されている状態においては、図１０に示すように、上記開口部１３は、キャビネット２１の第１のプレート部３１で完全に塞がれた状態になっている。このとき、図１１，図１２に示すように、キャビネット２１の被ロック部３７は、上記略逆Ｖ字状のロック部４１の傾斜面４１ｃに係合して回動を阻止されている。そして、撮像装置１の電源ボタンをＯＮすると、上述したように、ロック解除機構２５のモータ５１の電源が入り、カムプレート５３を回転させて、図９に示すように、第１のカム５４により被押圧面４６を押圧し、昇降体４２を圧縮コイルバネ４５のバネ力に抗して押し下げる。
【００２５】
昇降体４２が押し下げられることによってロック部４１と被ロック部３７の係合が解除され、キャビネット２１は、引張コイルバネ２３のバネ力で回動して、開口部１３から突出する。なお、図１１において、７１は、発光体２２に接続されたフレキシブルプリント基板である。
【００２６】
図１３は図２のフラッシュ装置１０が突出している状態の要部の正面図、図１４は図１３を矢印Ａ方向から見た側面図、図１５は図１３のＢ−Ｂ断面図である。図１３に示すように、キャビネット２１の第１のプレート部３１および第２のプレート部３２は、開口部１３から突出する。上記第２のプレート部３２は、上記第１のプレート部３１と上記開口部１３の間を塞ぐ。そして、上記発光体２２の出射面２２ａは、第２のプレート部３２に設けた切欠窓部３５を介してカメラ筐体３外に露出して、フラッシュ装置１０が使用可能になる。
【００２７】
また、フラッシュ装置１０をカメラ筐体３内に収納する場合には、図１５に示すように、上記第１のプレート部３１の外面を矢印ａ方向に押圧すれば、キャビネット２１は、軸部３８，３９を中心に反時計方向に回動する。キャビネット２１が反時計方向に回動すると、被ロック部３７がロック部４１の傾斜面４１ａに当接し、ロック部４１を圧縮コイルバネ４５のバネ力に抗して押し下げる。被ロック部３７がロック部４１の頂部４１ｂを通過すると、ロック部４１は、圧縮コイルバネ４５のバネ力で上昇して、図１２に示すように、ロック部４１の傾斜面４１ｃが被ロック部３７に係合して、キャビネット２１の戻り回動を阻止して、第１のプレート部３１で開口部１３を塞いだ状態に維持する。なお、圧縮コイルバネ４５のバネ力でロック部４１乃至昇降体４２が押し下げられることのないように圧縮コイルバネ４５のバネ力は、引張コイルバネ２３のバネ力よりも大になるように設定されている。
【００２８】
上記実施例では、ロック解除機構２５にモータ５１を使用し、モータ５１の動力でロック機構２４を操作する構成にしたが、ロック解除機構２５は手動でロック機構２４を操作するものであってもよい。また、上記実施例では、カメラ筐体３の一側部にフラッシュ装置を配置した場合を示したが、フラッシュ装置をカメラ筐体の両側に配置してもよい。
【図面の簡単な説明】
【００２９】
【図１】フラッシュ装置を収納した撮像装置の斜視図。
【図２】フラッシュ装置を突出させた撮像装置の斜視図。
【図３】フラッシュ装置を背面側から見た斜視図。
【図４】キャビネットがロック機構によりロックされる前の斜視図。
【図５】キャビネットがロック機構によりロックされた後の斜視図。
【図６】第１のカムの作用を示す説明図（昇降体を押し下げる前）。
【図７】第１のカムの作用を示す説明図（昇降体を押し下げた後）。
【図８】第２のカムの作用を示す説明図（昇降体を押し下げる前）。
【図９】第２のカムの作用を示す説明図（昇降体を押し下げた後）。
【図１０】フラッシュ装置を収納した状態の要部の正面図。
【図１１】図１０を矢印Ａ方向から見た側面図。
【図１２】図１０のＢ−Ｂ断面図。
【図１３】フラッシュ装置を突出させた状態の要部の正面図。
【図１４】図１３を矢印Ａ方向から見た側面図。
【図１５】図１３のＢ−Ｂ断面図。
【符号の説明】
【００３０】
１…撮像装置、２…レンズ鏡胴、３…カメラ筐体、４…記録媒体収納部、５…グリップ面、６…グリップベルト、１０…フラッシュ装置、１３…開口部、２１…キャビネット、２２…発光体、２２ａ…出射面、２３…引張コイルバネ、２４…ロック機構、２５…ロック解除機構、３１〜３４…第１〜第４のプレート部、３５…切欠窓部、３７…被ロック部、３８，３９…回転中心軸部、４１…ロック部、４２…昇降体、４３，４４…ガイド軸、４５…圧縮コイルバネ、４６…被押圧面、５１…モータ、５２…ギヤトレイン、５３…カムプレート、５４…第１のカム、５５…第２のカム。
【図１】
2008158249.tif 000003
【図２】
2008158249.tif 000004
【図３】
2008158249.tif 000005
【図４】
2008158249.tif 000006
【図５】
2008158249.tif 000007
【図６】
2008158249.tif 000008
【図７】
2008158249.tif 000009
【図８】
2008158249.tif 000010
【図９】
2008158249.tif 000011
【図１０】
2008158249.tif 000012
【図１１】
2008158249.tif 000013
【図１２】
2008158249.tif 000014
【図１３】
2008158249.tif 000015
【図１４】
2008158249.tif 000016
【図１５】
2008158249.tif 000017